(57)【要約】【課題】第１のアダプタと第２のアダプタとを正しく接続するための位置決め用のキーの損傷を防ぐことができるアダプタ装置を提供すること。【解決手段】キー３３４の前端３３４ａがレセプタクルアダプタ３０の円筒部３３２の前端３３２ｆよりも後に位置するように、円筒部３３２の内周面にキー３３４を形成する。円筒部３３２の内周面のキー３３４から周方向へ離れた位置に、円筒部３３２に挿入されたプラグアダプタ５０の円筒部５３２の前端を受ける突起部３３５を形成する。円筒部５３２の外周面に、突起部３３５を受容する受容部５３６を形成する。キー３３４の前端を突起部３３５の前端よりも後に位置させた。【選択図】図４
2010108629.tif 000002
【特許請求の範囲】
【請求項１】
第１の円筒部と、この第１の円筒部の内周面に形成された少なくとも１つのキーとを有する第１のアダプタと、
前記第１の円筒部に挿入される第２の円筒部と、この第２の円筒部の外周面に形成され、前記キーと嵌合するキー溝とを有する第２のアダプタとを備えるアダプタ装置において、
前記キーの前端が前記第１の円筒部の前端よりも後ろに位置し、
前記第１の円筒部の内周面の前記キーから周方向へ離れた位置に、前記第１の円筒部に挿入された前記第２の円筒部の前端を受ける複数の突起部が形成され、
前記第２の円筒部の外周面に、前記突起部を受容する受容部が形成され、
前記キーの前端が前記突起部の前端よりも後に位置する
ことを特徴とするアダプタ装置。
【請求項２】
前記突起部が前記第１の円筒部の内周面の中心軸に線対称な２つの位置にあり、
その２つの位置にある前記突起部の中間に前記キーが位置している
ことを特徴とする請求項１記載のアダプタ装置。
【請求項３】
前記２つの位置にある前記突起部のそれぞれに平面が形成され、前記それぞれの平面は相対し、
前記第１の円筒部の後端部に挿入されるとともに半径方向へ配列された複数の断面矩形のアダプタハウジングのうちの両端のアダプタハウジングの一側面が、前記突起部の前記平面の後側部分で支持されている
ことを特徴とする請求項２記載のアダプタ装置。
【発明の詳細な説明】
【技術分野】
【０００１】
この発明はアダプタ装置に関し、特に第１のアダプタと第２のアダプタとを備えたアダプタ装置に関する。
【背景技術】
【０００２】
従来、第１円筒壁とコネクタ端子とシール部材とシール部材ホルダとからなるコネクタのアダプタが知られている（下記特許文献１参照）。
【０００３】
第１円筒壁は電装部品を密封状態で収容するケースのケース壁に形成されている。第１円筒壁の外周面には８つの係合凸部が周方向へ等間隔に形成されている。また、第１円筒壁の外周面には第１、第２の位置決め用リブが形成されている。第１、第２の位置決め用リブは隣接する２つの係合凸部の中間に位置している。第１の位置決め用リブの先端部の幅は一定であるが、第１の位置決め用のリブの後端部の幅は一様ではなく、後ろに行くほどリブの幅が広くなる。第２の位置決め用のリブの幅は一定であり、第１の位置決め用リブの先端部の幅と同じである。第１の位置決め用リブと第２の位置決め用リブとは第１円筒壁の周方向へ９０度離れている。
【０００４】
シール部材ホルダは、第２円筒壁と、この第２円筒壁よりも小径で、第２円筒壁に同軸に連結されている第３円筒壁とを有する。第２円筒壁には第１円筒壁の係合部と係合する係合孔が周方向へ等間隔に形成されている。係合孔は第２円筒壁の端縁から離れた位置にある。第２円筒壁の外面には４つの溝状の切欠が周方向へ等間隔に形成されている。４つの切欠のうちの２つの切欠は第１、第２位置決め用リブに嵌合可能な第１、第２の位置決め用切欠である。第１の位置決め用切欠の幅は第１の位置決め用リブの幅に対応している。第２の位置決め用切欠の幅は第２の位置決め用リブの幅に対応している。
【０００５】
このアダプタを組み立てるには、まず、コネクタ端子とシール部材とを第１円筒壁内に配置する。シール部材によってコネクタ端子とケース壁との隙間がシールされる。
【０００６】
次に、シール部材ホルダの第２円筒壁の先端部を第１円筒壁に装着して、シールド部材ホルダを回転させる。第１の位置決め用切欠が第１の位置決め用リブに、第２の位置決め用切欠が第２の位置決め用リブにそれぞれ一致したとき、シール部材ホルダがケース壁側へ押し込まれ、シール部材ホルダの全体が第１円筒壁に装着される。
【特許文献１】特開２００７−３２３９０５号公報
【発明の開示】
【発明が解決しようとする課題】
【０００７】
第１円筒壁と第２円筒壁とを正しく嵌合するには、第２円筒壁を第１円筒壁に装着し、第１、第２の位置決め用切欠（キー溝）と第１、第２の位置決め用リブ（キー）とが一致するまで第２円筒壁を回転させなければならないが、第１円筒壁の第１、第２の位置決め用リブ上で第２円筒壁を回転させるので、第１、第２の位置決め用リブ上を第１、第２の位置決め用切欠が通過するときに第１、第２の位置決め用リブの先端部が第１、第２の位置決め用切欠に引っ掛かり、第１、第２の位置決め用リブの先端部が破損する虞がある。
【０００８】
この発明はこのような事情に鑑みてなされたもので、その課題は第１のアダプタと第２のアダプタとを正しく接続するための位置決め用のキーの損傷を防ぐことができるアダプタ装置を提供することである。
【課題を解決するための手段】
【０００９】
前述の課題を解決するため請求項１記載の発明のアダプタ装置は、第１の円筒部と、この第１の円筒部の内周面に形成された少なくとも１つのキーとを有する第１のアダプタと、前記第１の円筒部に挿入される第２の円筒部と、この第２の円筒部の外周面に形成され、前記キーと嵌合するキー溝とを有する第２のアダプタとを備えるアダプタ装置において、前記キーの前端が前記第１の円筒部の前端よりも後に位置し、前記第１の円筒部の内周面の前記キーから周方向へ離れた位置に、前記第１の円筒部に挿入された前記第２の円筒部の前端を受ける複数の突起部が形成され、前記第２の円筒部の外周面に、前記突起部を受容する受容部が形成され、前記キーの前端が前記突起部の前端よりも後ろに位置することを特徴とする。
【００１０】
第１のアダプタと第２のアダプタとを正しく接続するには、第２の円筒部を第１の円筒部に挿入し、キーとキー溝とが一致するまで第２の円筒部を回転させなければならないが、上述のようにキーの前端が突起部の前端よりも後ろに位置するので、第１の円筒部に挿入された第２の円筒部の先端は第１の円筒部の内周面の突起部に摺動可能に支持され、キーの前端には接触しない。したがって、第２の円筒部の先端による位置決め用のキーの損傷が回避される。また、第２の円筒部の回転により第１の円筒部の突起部と第２の円筒部の受容部とが一致したとき、キーとキー溝も一致し、突起部が受容部に収まり、キーがキー溝に嵌合し、第１のアダプタと第２のアダプタとが正しく接続される。
【００１１】
請求項２記載の発明は、請求項１記載のアダプタ装置において、前記突起部が前記第１の円筒部の内周面の中心軸に線対称な２つの位置にあり、その２つの位置にある前記突起部の中間に前記キーが位置していることを特徴とする。
【００１２】
請求項３記載の発明は、請求項２記載のアダプタ装置において、前記２つの位置にある前記突起部のそれぞれに平面が形成され、前記それぞれの平面は相対し、前記第１の円筒部の後端部に挿入されるとともに半径方向へ配列された複数の断面矩形のアダプタハウジングのうちの両端のアダプタハウジングの一側面が、前記突起部の前記平面の後側部分で支持されていることを特徴とする。
【発明の効果】
【００１３】
この発明によれば、第１のアダプタと第２のアダプタとを正しく接続するための位置決め用のキーの損傷を防ぐことができる。
【発明を実施するための最良の形態】
【００１４】
以下、この発明の実施の形態を図面に基づいて説明する。
【００１５】
図１はこの発明の一実施形態のアダプタ装置の嵌合前の状態を示す斜視図、図２は図１に示すアダプタ装置のレセプタクルアダプタの断面図、図３は図１に示すレセプタクルアダプタの正面図、図４は図１に示すアダプタ装置のレセプタクルアダプタのハウジングの断面図、図５は図１に示すアダプタ装置のプラグアダプタの斜視図である。
【００１６】
図１に示すように、アダプタ装置１０はレセプタクルアダプタ（第１のアダプタ）３０とこのレセプタクルアダプタ３０に嵌合可能なプラグアダプタ（第２のアダプタ）５０とを備える。レセプタクルアダプタ３０は後述する光コネクタ４１（図２参照）を介して図示しない光ファイバケーブルに接続され、例えば電子装置の筐体に固定される。プラグアダプタ５０は後述する光コネクタを介して図示しない光ファイバケーブルに接続される。アダプタ装置１０は光コネクタ同士を接続するものである。
【００１７】
レセプタクルアダプタ３０はハウジング３３を備える。
【００１８】
図２、図３、図４に示すように、ハウジング３３は保持部３３１と円筒部（第１の円筒部）３３２とフランジ部３３３とを有する。
【００１９】
保持部３３１はほぼ角柱状であり、保持部３３１には２つの光コネクタ４１を収容する一対の保持孔３３１ａが形成されている。一対の保持孔３３１ａは円筒部３３２の内部空間に通じる。
【００２０】
円筒部３３２は大径部３３２ａと小径部３３２ｂとを有する。大径部３３２ａは保持部３３１に連なる。小径部３３２ｂは大径部３３２ａに連なる。小径部３３２ｂの外周面には一対の凹部３３２ｃが形成されている。一対の凹部３３２ｃは小径部３３２ｂの周方向へ等間隔に配置されている。凹部３３２ｃは誘込み部３３２ｄとロック部３３２ｅとを有する。誘込み部３３２ｄはほぼ三角形である。ロック部３３２ｅは誘込み部３３２ｄの頂点部に連なり、小径部３３２ｂの周方向へ延びている。
【００２１】
円筒部３３２の内周面にはキー３３４が形成されている。キー３３４は円筒部３３２の中心軸に向かって突出し、かつ円筒部３３２の軸方向に沿って延びている。
【００２２】
キー３３４の前端３３４ａは円筒部３３２の前端３３２ｆよりも後ろにある。
【００２３】
円筒部３３２の内周面には一対の突起部３３５が形成されている。一対の突起部３３５は円筒部３３２の中心軸に対して線対称な位置にある。突起部３３５の円筒部３３２の中心軸に直交する面の断面形状はほぼＤ字形であり、受け面３３５ａと平坦面（平面）３３５ｂとを有する。２つの突起部３３５は円筒部３３２の中心軸を介して相対する。平坦面３３５ｂは円筒部３３２の中心軸に平行な面であり、保持孔３３１ａの内面に連なる。また、平坦面３３５ｂは円筒部３３２の内周面に直接連なる。
【００２４】
キー３３４の前端３３４ａは受け面３３５ａよりも後方に位置する（図４参照）。
【００２５】
フランジ部３３３は矩形であり、保持部３３１の外周面に形成されている。フランジ部３３３の角部には取付孔３３３ａが形成されている。フランジ部３３３の後面には環状溝３３３ｂが形成されている。環状溝３３３ｂにはシール部材３５が配置されている。シール部材３５はレセプタクルアダプタ３０をパネル（図示せず）に取り付けた際に防水（シール）の役目をする。
【００２６】
保持部３３１の一対の保持孔３３１ａには光コネクタ４１が収容される。光コネクタ４１は図２に示すようにフェルール４１１と筒状部（光コネクタハウジング）４１２とスライダ４１３とばね保持部４１４とばね４１５とを有する。フェルール４１１は円筒状であり、光ファイバケーブルの光ファイバ（コアとそれを覆うクラッドとで構成されている）を受け入れ保持する。筒状部４１２は角筒状であり、フェルール４１１とスライダ４１３とばね４１５とを収容する。スライダ４１３は筒状部４１２の長手方向へスライド可能に筒状部４１２内に配置されている。スライダ４１３はフェルール４１１を保持している。スライダ４１３が最も前方に位置しているとき、フェルール４１１の前端部は筒状部４１２の前端から突出する。ばね保持部４１４の前部は筒状部４１２に挿入されて固定されている。ばね保持部４１４の後部は筒状部４１２の後端から突出している。ばね保持部４１４の前部にはばね４１５が収容されている。ばね４１５はスライダ４１３を前方へ押圧している。
【００２７】
プラグアダプタ５０は、図１、図５に示すように、ハウジング５３とバレル５５とカップリングナット５７とエンドベル５９とを備えている。
【００２８】
図示しない光コネクタはフェルールと割スリーブとを有する。フェルールは円筒状であり、光ファイバケーブルの光ファイバを受け入れ保持する。割スリーブはほぼ円筒状であり、割スリーブにはフェルールの前側部分が挿入されている。
【００２９】
ハウジング５３は保持部（図示せず）と円筒部（第２の円筒部）５３２とを有する。保持部はフェルールを保持している。円筒部５３２は保持部に連なり、バレル５５から突出している。円筒部５３２はスリーブ保持部５３３を有する。スリーブ保持部５３３は割スリーブ（図示せず）を保持している。スリーブ保持部５３３に保持された割スリーブはレセプタクルアダプタ３０とプラグアダプタ５０とを嵌合したとき、レセプタクルアダプタ３０に収容された光コネクタ４１のフェルール４１１の前側部分を受け容れ、そのフェルール４１１とプラグアダプタ５０に収容された光コネクタのフェルールと突き合わせる。
【００３０】
円筒部５３２の外周面にはキー溝５３４が形成されている。キー溝５３４は円筒部５３２の中心軸に沿って延びている。
【００３１】
円筒部５３２の外周面には一対の平坦部（受容部）５３５が形成されている。一対の平坦部５３５は円筒部５３２の中心軸に対して線対称な位置にある。一対の平坦部５３５は平面５３５ａを有し、一方の平面５３５ａと他方の平面５３５ａとは互いに平行であるとともに、円筒部５３２の中心軸に平行である。プラグアダプタ５０の円筒部５３２をレセプタクルアダプタ３０の円筒部３３２に挿入したとき、平面５３５ａと円筒部３３２の内周面との間に空間５３６が形成される。レセプタクルアダプタ３０とプラグアダプタ５０とを嵌合したとき、空間５３６にレセプタクルアダプタ３０の突起部３３５が収容される。
【００３２】
バレル５５はハウジング５３の保持部を収容し、保持している。
【００３３】
カップリングナット５７はほぼ円筒状であり、その内周面にフランジ部（図示せず）を有し、ハウジング５３に回転可能に装着されている。カップリングナット５７のフランジ部はハウジング５３の外周面に形成されたフランジ部（図示せず）とバレル５５の前端面とで挟まれている。これにより、カップリングナット５７はハウジング５３から脱落しないようになっている。カップリングナット５７はばね（図示せず）によってカップリングナット５７の外周面に記された矢印Ａと反対方向へ押圧されている。
【００３４】
エンドベル５９はバレル５５の後部に装着され、光ファイバケーブルを保持する。
【００３５】
レセプタクルアダプタ３０にプラグアダプタ５０を嵌合するには、まず、レセプタクルアダプタ３０の円筒部３３２にプラグアダプタ５０の円筒部５３２を挿入する。このとき、円筒部３３２に挿入された円筒部５３２は突起部３３５の受け面３３５ａによって受け止められるので、円筒部５３２の前端部だけが円筒部３３２に挿入される。
【００３６】
次に、円筒部５３２を回転させ、突起部３３５と平坦部５３５とを一致させると円筒部５３２の前端面５３２ａと受け面３３５ａとの係合が解かれるので更に挿入すると、キー３３４とキー溝５３４とが挿入方向Ｉで対向し、キー３３４とキー溝５３４とが一致した後、更に挿入すると、円筒部５３２の全体が円筒部３３２に挿入される。なお、キー３３４とキー溝５３４とが一致するとレセプタクルアダプタ３０とプラグアダプタ５０との間のガタが少なくなる。
【００３７】
円筒部５３２の全体が円筒部３３２に挿入されるとき、カップリングナット５７の凸部５７ａは円筒部３３２の凹部３３２ｃに入り、凹部３３２ｃの誘込み部３３２ｄによってロック部３３２ｅへと案内される。その際、凹部３３２ｃの誘込み部３３２ｄの側縁によって凸部５７ａが周方向へ押圧されるので、カップリングナット５７が回転し、その結果、カップリングナット５７に連結されたばねが圧縮される。凸部５７ａがロック部３３２ｅに入ると、凸部５７ａは開放され、カップリングナット５７に連結されたばねのばね力によってロック部３３２ｅの一端部に押し付けられる。その結果、凸部５７ａが円筒部３３２に係止され、プラグアダプタ５０がレセプタクルアダプタ３０にロックされる。
【００３８】
円筒部５３２を回転させているとき、キー３３４の前端３３４ａは突起部３３５の受け面３３５ａよりも後方に位置するので、円筒部５３２の前端５３２ａにキー３３４の前端３３４ａが接触しないので、キー３３４の損傷を防止することができる。
【００３９】
プラグアダプタ５０をレセプタクルアダプタ３０から離脱するには、プラグアダプタ５０のカップリングナット５７を、ばね力に抗してカップリングナット５７の外周面に書かれている矢印Ａと同じ方向へ回転させ、凸部５７ａをロック部３３２ｅから外し、そのままプラグアダプタ５０を引っ張ればよい。
【００４０】
この実施形態によれば、キー３３４の損傷を防止することができる。
【００４１】
また、突起部３３５に平坦面３３５ｂに形成したので、受け面３３５ａを広くすることができ欠け損傷等の防止に役立つ。
【００４２】
また、突起部３３５の平坦面３３５ｂを保持孔３３１ａの内面に連ねるようにしたので、突起部３３５を形成してもレセプタクルアダプタ３０が大型化するのを防止することができる。
【００４３】
更に、突起部３３５の平坦面３３５ｂは製造し易く、かつ突起部３３５はキー３３４ほど寸法精度が高くなくても構わないので、キーを複数設けた従来のアダプタに較べ、コストを低減することができる。
【００４４】
なお、この実施形態では、突起部３３５が円筒部３３２の内周面の中心軸に線対称な２つの位置にあり、その２つの位置にある突起部３３５の中間にキー３３４が位置しているが、必ずしもこのように構成する必要はなく、例えば、キー３３４と反対側の円筒部３３２の内周面にもう一つの突起部３３５を設けてもよい。この例では、キー３３４とキー溝５３４とを一致させる作業をより簡単に行うことができる。
【００４５】
また、この実施形態では、突起部３３５の平坦面３３５ｂを保持孔３３１ａの内面に連ね、更に、平坦面３３５ｂを円筒部３３２の内周面に直接連ねたが、突起部３３５の形状は実施形態のものに限られず、例えば、角柱状のも、円柱状のもの或いは円錐状のもの等でも構わない。
【００４６】
図６は図１に示すアダプタ装置のレセプタクルアダプタのハウジングの変形例の断面図である。
【００４７】
なお、レセプタクルアダプタ３０とプラグアダプタ５０とを嵌合させるときのキー３３４とキー溝５３４とを一致させる作業の容易さを重視する場合、図６に示すように、円筒部３３２の中心軸と平行な方向おいて、キー３３４の前端３３４ａの位置と突起部３３５の受け面３３５ａの位置とを同じにするとよい。この変形例では、キー３３４とキー溝５３４とが一致したときだけ、円筒部５３２を更に深く円筒部３３２に挿入できるので、キー３３４とキー溝５３４との一致が容易にできる。
【図面の簡単な説明】
【００４８】
【図１】図１はこの発明の一実施形態のアダプタ装置の嵌合前の状態を示す斜視図である。
【図２】図２は図１に示すアダプタ装置のレセプタクルアダプタの断面図である。
【図３】図３は図１に示すレセプタクルアダプタの正面図である。
【図４】図４は図１に示すアダプタ装置のレセプタクルアダプタのハウジングの断面図である。
【図５】図５は図１に示すアダプタ装置のプラグアダプタの斜視図である。
【図６】図６は図１に示すアダプタ装置のレセプタクルアダプタのハウジングの変形例の断面図である。
【符号の説明】
【００４９】
１０  アダプタ装置
３０  レセプタクルアダプタ（第１のアダプタ）
３３１  保持部（第１の保持部）
３３２  円筒部（第１の円筒部）
３３２ｆ  前端
３３４  キー
３３４ａ  前端
３３５  突起部
３３５ａ  受け面
３３５ｂ  平坦面（平面）
４１１  フェルール
４１２  筒状部（コネクタハウジング）
５０  プラグアダプタ（第２のアダプタ）
５３２  円筒部（第２の円筒部）
５３２ａ  前端
５３４  キー溝
５３５  平坦部（受容部）
５３６  空間
【図１】
2010108629.tif 000003
【図２】
2010108629.tif 000004
【図３】
2010108629.tif 000005
【図４】
2010108629.tif 000006
【図５】
2010108629.tif 000007
【図６】
2010108629.tif 000008